(57)【要約】      （修正有）【課題】開閉スイッチ付きポップアップ水栓を取り付けた浴槽で、残り湯移送手段と電気信号利用手段との組み合わせにより残り湯を簡単容易に利用可能なシステムの提供と、ポップアップ水栓の開閉状態の電気信号を表示し知らせたり、または、給湯機の運転制御に利用する電気信号利用手段を提供。【解決手段】湯利用手段１は、残り湯取り口８９のポップアップ水栓６を開放すると栓部材２８より低い位置のドレン用電磁弁５５が閉止状態となり浴槽７０と残り湯移送先である洗濯機４５とトイレ４６と連通する簡単容易な残り湯利用手段１となっていて、残り湯取り口８９に取り付けられているポップアップ水栓６の開閉スイッチ１２からの電気信号はドレン用電磁弁５５の開閉作動に利用する他、栓部材２８の開閉状態を表示し知らせたり、浴槽７０への湯張りの際に栓部材２８が開いた状態では給湯機の自動運転ができないようインターロック制御されている。【選択図】図１
2010216211.tif 000002
【特許請求の範囲】
【請求項１】
浴槽の排水口や残り湯取り口に取り付けるポップアップ水栓において、
前記ポップアップ水栓の開閉押しボタンを操作すると開閉スイッチが切り換わり電気信号を取り出すことが可能なポップアップ水栓。
【請求項２】
ポップアップ水栓の開閉スイッチは近接スイッチを使用し電気信号を表示や運転制御に利用可能とすることを特徴とした請求項１のポップアップ水栓。
【請求項３】
残り湯移送手段を有する構造の浴槽で、
浴槽の底面部には排水口と残り湯取り口とがそれぞれ独立し配設していて、
残り湯取り口のポップアップ水栓の栓部材より低い位置にドレン用の電磁弁が取り付けられていて、
前記ポップアップ水栓が閉止状態で残り湯を利用しない時は前記電磁弁が開放状態となり配管内がドレン可能で、
前記ポップアップ水栓を開放して残り湯を利用する時は前記電磁弁が閉止し残り湯が残り湯移送先で利用可能で、
ポップアップ水栓の開閉状態の電気信号を表示し知らせたり、または、給湯機の運転制御に利用することを特徴とした残り湯移送手段と電気信号利用手段。
【請求項４】
残り湯移送手段を有する構造の浴槽で、
浴槽の底面部には残り湯取り口を兼ねた排水口のみが設けられていて、
排水口のポップアップ水栓の栓部材より低い位置に排水用の電磁弁が取り付けられていて配管内が排水可能で、
前記電磁弁の排水側または残り湯移送側への切り換え操作は切換スイッチで単独で行えて、
ポップアップ水栓の開閉状態の電気信号を表示し知らせたり、または、給湯機の運転制御に利用することを特徴とした残り湯移送手段と電気信号利用手段。
【発明の詳細な説明】
【技術分野】
【０００１】  本発明は、浴槽のポップアップ水栓および残り湯移送手段と電気信号利用手段との組み合わせにより残り湯を簡単容易に利用可能なシステムに関する。
【背景技術】
【０００２】  近年、居住者の多くが安全、安心また健康で快適な居住空間の提供を望み住宅等建物の付帯設備もかなり充実してきている。
そして人類だけが生活の快適さを得るため地球温暖化に結び付く石油や石炭また天然ガスなどのエネルギーの大量消費を続けている。
いわゆる有限エネルギー大量消費による地球環境破壊である。
自然災害の少ない地球に優しい環境の維持継続を考えた場合、この再生不可能な貴重な地下資源である石油や石炭また天然ガスの消費をこれからも続ければ大気汚染が進み地球温暖化が加速する。【０００３】  ところで近年、地球温暖化によって生物にとって致命的な風水害や砂漠化など異常気象に伴う自然災害に見舞われる可能性が格段に高くなると言われこの異常気象が水不足の問題をさらに加速させている。【０００４】  そこで、地球環境破壊阻止に向けて誰もが身近なことからできる浴槽の残り湯利用に着目した。
各家庭では浴槽の残り湯利用に関しては洗濯水への中水利用としてかなり進んでいる。
しかし、核家族化が進むにつれて洗濯する回数も減りそのため残り湯を十分利用しないまま排水へと直接捨てられその水量も格段に多くなっている。
この解決策として浴槽に２４時間浄化装置を取り付けるなど様々な商品も販売されているが高額なうえ維持費がかかるし衛生管理も難しく雑菌汚染などの問題も多いと報告されている。【０００５】  また最近は、残り湯の中水利用に関する技術情報によれば中水を一度、水タンクに溜めてから水洗便器に使用する技術情報や中水を浄化して再利用する技術公開が殆どで、その設備は複雑で大きく設備費用面からも一般家庭には不向きであった。
このことも有り浴槽を水タンク代わりに利用し中水を洗濯機等の用途に使用する簡単な方法や技術情報、例えば特開２００８−２５３７０６号（特許文献１）に記載されている。
【特許文献１】特開２００８−２５３７０６号（特許文献１）
【発明の開示】
【発明が解決しようとする課題】
【０００６】  地球温暖化による異常気象が砂漠化を引き起こし水不足が確実に進むと言われている。
そこで、開閉スイッチ付きポップアップ水栓を取り付けた浴槽で一般家庭でも簡単容易に中水利用ができる方法また安価な設備を広く普及できる技術として、浴槽を水タンク代わりとして直接利用する残り湯移送手段と電気信号利用手段との組み合わせにより残り湯を簡単容易に利用可能なシステムの提供と、【０００７】  ポップアップ水栓の開閉状態の電気信号を表示し知らせたり、または、給湯機の運転制御に利用する電気信号利用手段を提供することを主たる目的とする。
【課題を解決するための手段】
【０００８】  前記目的を達成するため本発明は以下の技術的手段を講じた。
第１に、
浴槽の排水口や残り湯取り口に取り付けるポップアップ水栓において、
前記ポップアップ水栓の開閉押しボタンを操作すると開閉スイッチが切り換わり電気信号を取り出すことが可能なポップアップ水栓とした。
第２に、
ポップアップ水栓の開閉スイッチは近接スイッチを使用し電気信号を表示や運転制御に利用可能とするポップアップ水栓とした。
第３に、
残り湯移送手段を有する構造の浴槽で、
浴槽の底面部には排水口と残り湯取り口とがそれぞれ独立し配設していて、
残り湯取り口のポップアップ水栓の栓部材より低い位置にドレン用の電磁弁が取り付けられていて、
前記ポップアップ水栓が閉止状態で残り湯を利用しない時は前記電磁弁が開放状態となり配管内がドレン可能で、
前記ポップアップ水栓を開放して残り湯を利用する時は前記電磁弁が閉止し残り湯が残り湯移送先で利用可能で、
ポップアップ水栓の開閉状態の電気信号を表示し知らせたり、または、給湯機の運転制御に利用する残り湯移送手段と電気信号利用手段とした。
第４に、
残り湯移送手段を有する構造の浴槽で、
浴槽の底面部には残り湯取り口を兼ねた排水口のみが設けられていて、
排水口のポップアップ水栓の栓部材より低い位置に排水用の電磁弁が取り付けられていて配管内が排水可能で、
前記電磁弁の排水側または残り湯移送側への切り換え操作は切換スイッチで単独で行えて、
ポップアップ水栓の開閉状態の電気信号を表示し知らせたり、または、給湯機の運転制御に利用する残り湯移送手段と電気信号利用手段とした。
【発明の効果】
【０００９】  本発明は、浴槽を水タンク代わりに利用し、しかも残り湯の全量が利用可能な構造を有する浴槽で開閉スイッチ付きポップアップ水栓を使用することにより簡単容易な操作だけで貴重な水資源を無駄にすることなく利用でき、基本的に残り湯は毎日使い切ることで衛生面からも良く、しかも設備費が低価格で提供できる最大のメリットがある。
そして、開閉スイッチ付きポップアップ水栓を使用することにより浴槽への湯張り時のインターロック制御も可能となるので浴槽栓をしないで湯張りすることも防止できる。
【発明を実施するための最良の形態】
【００１０】  以下、本発明の実施形態は図１および図２の概略図面に基づいて説明する。
【実施形態１】
【００１１】  本発明の図１は、開閉スイッチ１２付きポップアップ水栓５と６および浴槽７０の排水口７９と残り湯取り口８９が独立し配設している残り湯利用手段１の概略を図示している。
この残り湯利用手段１は、残り湯取り口８９のポップアップ水栓６を開放すると栓部材２８より低い位置のドレン用電磁弁５５が閉止状態となり浴槽７０と残り湯移送先である洗濯機４５とトイレ４６と連通する簡単容易な残り湯利用手段１となっている。
【００１２】  そして、開閉スイッチ１２付きポップアップ水栓６を閉止すると電磁弁５５が開放状態となり、排水溝４９行き配管５１および残り湯利用先行き配管５２内の水は水封を通じて排水溝４９へドレン可能なシステムとなっていて、これによって浴槽側への雑菌汚染防止を図っている。
このように、電磁弁５５の開閉はポップアップ水栓６の開閉スイッチ１２からの電気信号を受けて作動する。そして開閉スイッチ１２の切り換えはポップアップ水栓６の開閉押しボタン８５を操作することでワイヤー１３に固定されたマグネット１１が上下し近接スイッチである開閉スイッチ１２が切り換わる仕組みとなっている。
【００１３】  先ず、残り湯移送先である洗濯機４５とトイレ４６の住宅での配置と簡単容易な残り湯利用手段１に関して説明する。
残り湯移送先である洗濯機４５とトイレ４６の住宅での配置は２階に浴槽７０と洗濯機４５を置き１階にはトイレ４６を設置した。
理由は、省エネルギーを重視した住宅設備の配置で、最近の洗濯機４５の多くは残り湯利用吸い上げポンプを搭載しており前記吸い上げポンプの入切を制御して残り湯利用を図っている。
しかし、浴槽７０の水位より洗濯機４５を低い位置に置くとサイホン現象が生じ吸い上げポンプを切っても残り湯が流れ続けてしまうので浴槽７０と洗濯機４５とは同じ階高としている。
他方、トイレ４６の位置は残り湯を落差で利用する方が省エネルギーに結び付くために浴槽７０の位置よりも低い位置にトイレ４６を設置した。
以上により住宅の２階に浴槽７０と洗濯機４５を置き１階にはトイレ４６を置いた住宅となっている。
【００１４】  次に、洗濯機４５で残り湯を利用する場合に関して説明する。
残り湯利用の場合、浴槽７０の残り湯利用押しボタン８５を押しポップアップ水栓６を開放すると同時に電磁弁５５は閉止し浴槽７０の残り湯が残り湯移送先である洗濯機４５とトイレ４６と連通する簡単容易なシステムとなっている。
この状態で洗濯機４５を自動運転すれば残り湯を利用した洗濯が可能であり、洗濯を開始する前に行う吸引ホースの準備や洗濯終了後の吸引ホースの巻き取り片付け作業も不要になるのである。
【００１５】  他方、トイレ４６で残り湯を利用する場合に関して説明する。
残り湯利用の場合、浴槽７０の残り湯利用押しボタン８５を押しポップアップ水栓６を開放すると同時に電磁弁５５は閉止し浴槽７０の残り湯が残り湯移送先である洗濯機４５とトイレ４６と連通する簡単容易な残り湯利用手段１のシステムとなっている。
この状態でトイレ４６への残り湯の送水は可能となる。
そこで、残り湯が上水側に混入するのを完全に防ぐためトイレ４６には残り湯専用ボールタップと上水専用ボールタップとが独立して取り付けられたトイレ４６となっている。
従って、残り湯専用ボールタップ入口側には開閉弁があり、また、上水専用ボールタップ入口側にも開閉弁があるので、残り湯を利用する場合は上水側から残り湯側に切り換えることで浴槽７０の残り湯を落差で利用可能な簡単容易な残り湯利用手段１のシステムとなっている。
【００１６】  そして残り湯を利用する場合は毛髪等を取り除く方が良いのでポップアップ水栓６の栓部材２８を開閉するワイヤー１３のガイド部材１７にはストレーナーが装着されている。
これによって、残り湯利用先でのトラブルが生じないよう対策している。
【００１７】  開閉スイッチ１２付きポップアップ水栓５と６の電気信号の利用に関して説明する。
この浴槽７０の排水口７９と残り湯取り口８９は独立していてそれぞれに開閉スイッチ１２付きポップアップ水栓５と６が取り付けられている。
このことによりポップアップ水栓５と６の開閉状態を電気信号で表示し知らせたり、または、給湯機の運転制御に利用することが可能となっている。
【００１８】  残り湯利用では残り湯取り口８９に取り付けられているポップアップ水栓６の開閉スイッチ１２からの電気信号はドレン用電磁弁５５の開閉作動に利用する他、栓部材２８の開閉状態を表示し知らせたり、浴槽７０への湯張りの際に栓部材２８が開いた状態では給湯機の自動運転ができないようインターロック制御されている。
他方、排水口７９に取り付けられているポップアップ水栓５の開閉スイッチ１２からの電気信号は栓部材１８の開閉状態を表示し知らせる他、浴槽７０への湯張りの際に栓部材１８が開いた状態では給湯機の自動運転ができないようインターロック制御されている。
【実施形態２】
【００１９】  本発明の図２は、開閉スイッチ１２付きポップアップ水栓７および浴槽９０の排水口９９が残り湯取り口と兼用している残り湯利用手段２の概略を図示している。
浴槽９０の底面部には残り湯取り口を兼ねた排水口９９のみが設けられていて、
排水口９９に取り付けられているポップアップ水栓７の栓部材３８より低い位置に排水用の電磁弁６５が取り付けられていて配管内が排水可能となっている。
そして、残り湯利用手段２では開閉スイッチ１２付きポップアップ水栓７を開放すると電磁弁６５が閉止状態となり浴槽９０と残り湯移送先である洗濯機４５とトイレ４６と連通する簡単容易な湯利用手段２のシステムとなっている。
【００２０】  次に、残り湯の利用が終了し浴槽９０を清掃する場合は、事前に電磁弁６５を残り湯利用側から排水側に切り換えるが、この電磁弁６５の切り換え操作は切換スイッチ６０で単独で行える。
これによって、浴槽９０からの排水は排水行き配管６１から電磁弁６５と水封を通じて排水溝４９に流れでるので残り湯利用側の配管６２内の水も排水が可能なシステムとなっていて、これによって浴槽側への雑菌汚染防止を図っている。
【００２１】  このように、電磁弁６５の開閉はポップアップ水栓７の開閉スイッチ１２からの電気信号を受けて作動する。
この開閉スイッチ１２の切り換えはポップアップ水栓７の開閉押しボタン９５を操作することでワイヤー１３に固定されたマグネット１１が上下し近接スイッチである開閉スイッチ１２が切り換わる仕組みとなっている。
そして、ポップアップ水栓７の開閉スイッチ１２からの電気信号は栓部材３８の開閉状態を電気信号で表示し知らせたり、または、給湯機の運転制御に利用することが可能な残り湯移送手段２と電気信号利用手段となっている。
さらに、電気信号は浴槽９０への湯張りの際に栓部材３８が開いた状態では給湯機の自動運転ができないようインターロック制御されている。
【００２２】  尚、浴槽９０の残り湯を残り湯移送先である洗濯機４５やトイレ４６で利用する方法に関しては実施形態１と略同様であり詳細説明は省略する。
【産業上の利用の可能性】
【００２３】  無駄なく浴槽の残り湯や雨水を簡単容易に利用する新しい機器の開発やシステム開発に結び付けるための産業を創造し、そのことを具現化し商品化することこそが地球温暖化防止と地球環境の維持保全の一番の近道であることを本発明は提示できる。
【図面の簡単な説明】
【００２４】
【図１】図１は、開閉スイッチ付きポップアップ水栓図および浴槽底面部の排水口と残り湯取り口が独立し配設している残り湯利用手段の概略図。
【図２】図２は、開閉スイッチ付きポップアップ水栓図および浴槽底面部の排水口が残り湯取り口と兼用している残り湯利用手段の概略図。
【符号の説明】
【００２５】１、２  残り湯利用手段
５、６、７  ポップアップ水栓
１１  マグネット
１２  開閉スイッチ
１３  ワイヤー
１４  チューブ
１７  ガイド部材
１８、２８、３８  栓部材
４５  洗濯機
４６  トイレ
４９  排水溝
５１、６１  配管（排水側）
５２、６２  配管（残り湯利用側）
５５、６５  電磁弁
６０  切換スイッチ
７０、９０  浴槽
７５、８５、９５  押しボタン
７９、９９  排水口
８９  残り湯取り口
【図１】
2010216211.tif 000003
【図２】
2010216211.tif 000004
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
浴槽の排水口や残り湯取り口に取り付けるポップアップ水栓において、
前記ポップアップ水栓の開閉押しボタンを操作すると開閉スイッチが切り換わり電気信号を取り出すことが可能なポップアップ水栓。
【請求項２】
ポップアップ水栓の開閉スイッチは磁気式の近接スイッチであって、
マグネットの取り付け位置は押しボタンの裏面側、またはワイヤーに固定し、前記近接スイッチとの組み合わせにより開閉スイッチが切り換わる方式で、電気信号の表示や運転制御に利用可能とすることを特徴とした請求項１のポップアップ水栓。
【請求項３】
残り湯移送手段を有する構造の浴槽で、
浴槽の底面部には排水口と残り湯取り口とがそれぞれ独立し配設していて、
排水口と残り湯取り口それぞれにポップアップ水栓が取り付けられていて、
残り湯取り口のポップアップ水栓の栓部材より低い位置にドレン用の電磁弁等の自動弁が取り付けられていて、
前記ポップアップ水栓が閉止状態で残り湯を利用しない時は前記電磁弁等の自動弁が開放状態となり配管内がドレン可能で、
前記ポップアップ水栓を開放して残り湯を利用する時は前記電磁弁等の自動弁が閉止し残り湯が残り湯移送先で利用可能で、
前記電磁弁等の自動弁の排水側または残り湯移送側への切り換え操作は切換スイッチで単独で行えて、
ポップアップ水栓の開閉状態の電気信号を表示し知らせたり、または、給湯機の運転制御に利用することを特徴とした残り湯移送手段と電気信号利用手段。
【請求項４】
残り湯移送手段を有する構造の浴槽で、
浴槽の底面部には残り湯取り口を兼ねた排水口のみが設けられていて、
排水口のポップアップ水栓の栓部材より低い位置に排水用の電磁弁等の自動弁が取り付けられていて、
前記ポップアップ水栓が閉止状態で残り湯を利用しない時は前記電磁弁等の自動弁が開放状態となり配管内がドレン可能で、
前記ポップアップ水栓を開放して残り湯を利用する時は前記電磁弁等の自動弁が閉止し残り湯が残り湯移送先で利用可能で、
前記電磁弁等の自動弁の排水側または残り湯移送側への切り換え操作は切換スイッチで単独で行えて、
ポップアップ水栓の開閉状態の電気信号を表示し知らせたり、または、給湯機の運転制御に利用することを特徴とした残り湯移送手段と電気信号利用手段。